(57)【要約】【課題】動作可能な時間を短縮させずに、使い勝手を向上させた充電式の電気掃除機を提供することを目的とする。【解決手段】掃除機本体６と、掃除機本体６に装備した掃除駆動源である充電可能な第１の蓄電池８と、掃除機本体６に着脱可能に接続される床用吸込み具７と、床用吸込み具７に装備した掃除駆動源である充電可能な第２の蓄電池９とを備えたものである。これによって、蓄電池を第１、第２の蓄電池８、９とに分け、動作可能な時間を短縮させることなく、掃除機本体６に配置される第１の蓄電池８の重量を減少させることができる。したがって、床用吸込み具７を外して掃除機本体６を持ち上げ隙間や棚上を清掃する作業が容易になり、使い勝手が向上する。【選択図】図１
2007075319.tif 000002
【特許請求の範囲】
【請求項１】
掃除機本体と、掃除機本体に装備した掃除駆動源である充電可能な第１の蓄電池と、掃除機本体に着脱可能に接続される床用吸込み具と、床用吸込み具に装備した掃除駆動源である充電可能な第２の蓄電池とを備えた電気掃除機。
【請求項２】
床用吸込み具は、掃除機本体との非接続状態において第２の蓄電池による単独動作で床面の掃除を可能とした請求項１に記載の電気掃除機。
【請求項３】
第１の蓄電池と第２の蓄電池は、掃除機本体と床用吸込み具とが非接続状態においてそれぞれ充電装置に接続し充電可能とした請求項１または２に記載の電気掃除機。
【請求項４】
第２の蓄電池は電源管理装置を有し、第１の蓄電池への充電および／または第１の蓄電池からの充電が可能な構成とした請求項１〜３のいずれか１項に記載の電気掃除機。
【請求項５】
第２の蓄電池は、第１の蓄電池とは異なる種類の蓄電池により構成した請求項１〜４のいずれか１項に記載の電気掃除機。
【請求項６】
第２の蓄電池は、第１の蓄電池よりも充電容量が大きい構成とした請求項１〜５のいずれか１項に記載の電気掃除機。
【請求項７】
第２の蓄電池は、第１の蓄電池よりも充電容量が小さい構成とした請求項１〜５のいずれか１項に記載の電気掃除機。
【請求項８】
第１の蓄電池および／または第２の蓄電池は電池着脱装置を有し、電池の種類および／または充電容量を変更可能とした請求項１〜７のいずれか１項に記載の電気掃除機。
【請求項９】
床用吸込み具を、主床用吸込み具と複数の副床用吸込み具に分離が可能な構成とし、それぞれに蓄電池を装備した請求項１〜８のいずれか１項に記載の電気掃除機。
【発明の詳細な説明】
【技術分野】
【０００１】
本発明は、掃除機本体を片手で持って掃除を行う充電式の電気掃除機に関するものである。
【背景技術】
【０００２】
従来、この種の電気掃除機としては、種々のものが知られているが、いずれも掃除駆動源となる蓄電池は掃除機本体に装備されているものである（例えば、特許文献１参照）。
【特許文献１】特開２００１−８７１８０号公報
【発明の開示】
【発明が解決しようとする課題】
【０００３】
しかしながら、前記従来の構成では、掃除機本体を持ち上げて隙間や棚上などの掃除を行うには、掃除機本体に蓄電池を装備しているため、重量が大きく使い勝手が悪いものである。また、使い勝手を向上させるよう蓄電池の量を減らし重量を小さくすると、動作可能な時間が短くなるという課題を有していた。
【０００４】
本発明は、前記従来の課題を解決するもので、動作可能な時間を短縮させずに、使い勝手を向上させた電気掃除機を提供することを目的とする。
【課題を解決するための手段】
【０００５】
前記従来の課題を解決するために、本発明の電気掃除機は、掃除機本体と、掃除機本体に装備した掃除駆動源である充電可能な第１の蓄電池と、掃除機本体に着脱可能に接続される床用吸込み具と、床用吸込み具に装備した掃除駆動源である充電可能な第２の蓄電池とを備えたものである。
【０００６】
これによって、蓄電池を第１、第２の蓄電池とに分けることで、動作可能な時間を短縮させることなく、掃除機本体に配置される第１の蓄電池の重量を減少させることができる。したがって、床用吸込み具を外して掃除機本体を持ち上げ隙間や棚上を清掃する作業が容易になり、使い勝手が向上する。
【発明の効果】
【０００７】
本発明の電気掃除機は、動作可能な時間を短縮させずに、掃除機本体を容易に持ち上げて隙間や棚上を清掃することが可能となり、使い勝手を向上させることができる。
【発明を実施するための最良の形態】
【０００８】
第１の発明は、掃除機本体と、掃除機本体に装備した掃除駆動源である充電可能な第１の蓄電池と、掃除機本体に着脱可能に接続される床用吸込み具と、床用吸込み具に装備した掃除駆動源である充電可能な第２の蓄電池とを備えた電気掃除機とすることにより、蓄電池を第１、第２の蓄電池とに分けることで、動作可能な時間を短縮させることなく、掃除機本体に配置される第１の蓄電池の重量を減少させることができる。したがって、床用吸込み具を外して掃除機本体を持ち上げ隙間や棚上を清掃する作業が容易になり、使い勝手が向上する。
【０００９】
第２の発明は、特に、第１の発明において、床用吸込み具は、掃除機本体との非接続状態において第２の蓄電池による単独動作で床面の掃除を可能としたことにより、使用者が座った状態での掃除や手元近くでの掃除が可能となるため、使い勝手を向上させることができる。
【００１０】
第３の発明は、特に、第１または第２の発明において、第１の蓄電池と第２の蓄電池は、掃除機本体と床用吸込み具とが非接続状態においてそれぞれ充電装置に接続し充電可能としたことにより、掃除機本体と床用吸込み具の一方で清掃作業を行っている場合に残りの一方に装備された蓄電池へ充電ができるため、掃除機本体の動作可能な時間を長くすることができる。
【００１１】
第４の発明は、特に、第１〜第３のいずれか１つの発明において、第２の蓄電池は電源管理装置を有し、第１の蓄電池への充電および／または第１の蓄電池からの充電が可能な構成としたことにより、第１の蓄電池と第２の蓄電池に充電されている電力を残さず使用できるため、充電装置へ掃除機本体を接続する頻度を減少させることができ、使い勝手を向上させることができる。
【００１２】
第５の発明は、特に、第１〜第４のいずれか１つの発明において、第２の蓄電池は、第１の蓄電池とは異なる種類の蓄電池により構成したことにより、例えば、第１の蓄電池は重量エネルギー密度を優先した蓄電池とし、第２の蓄電池は高出力を優先した蓄電池として掃除機本体の重量は減少させつつ全体として高い集塵性能を得るというように、第１の蓄電池と第２の蓄電池の重量や出力などの特性をより大きく変化できるようになる。このため、より清掃作業に最適な電池を使用できるようになり、使い勝手を向上させることができる。
【００１３】
第６の発明は、特に、第１〜第５のいずれか１つの発明において、第２の蓄電池は、第１の蓄電池よりも充電容量が大きい構成としたことにより、掃除機本体の重量がより減少し使い勝手が向上し、床用吸込み具の重量が増えるため床面への押し付け力が増し集塵性能を向上させることができる。
【００１４】
第７の発明は、特に、第１〜第５のいずれか１つの発明において、第２の蓄電池は、第１の蓄電池よりも充電容量が小さい構成としたことにより、床用吸込み具の大きさが小さくなり、机の下など高さの低い場所の掃除が容易になる。
【００１５】
第８の発明は、特に、第１〜第７のいずれか１つの発明において、第１の蓄電池および／または第２の蓄電池は電池着脱装置を有し、電池の種類および／または充電容量を変更可能としたことにより、清掃作業の状況に合わせて使用者が重量や集塵能力を選択できるようになるため、使い勝手を向上させることができる。
【００１６】
第９の発明は、特に、第１〜第８のいずれか１つの発明において、床用吸込み具を、主床用吸込み具と複数の副床用吸込み具に分離が可能な構成とし、それぞれに蓄電池を装備したことにより、状況に応じて重量や集塵能力を選択できるようになるため、使い勝手を向上させることができる。
【００１７】
以下、本発明の実施の形態について、図面を参照しながら説明する。なお、この実施の形態によって本発明が限定されるものではない。
【００１８】
（実施の形態１）
図１、図２は、本発明の実施の形態１における電気掃除機を示すものである。
【００１９】
図１において、掃除機本体６は電動送風機（図示せず）を内蔵しており、吸気口６ａには、回転ブラシなどを有する床用吸込み具７が着脱可能に接続されている。床用吸込み具５は床面の広い範囲から集塵可能なように幅の広い構成となっており、掃除機本体６の幅よりも大きい。掃除機本体６には、掃除駆動源である充電可能な第１の蓄電池８が装備されており、床用吸込み具７には、同様に掃除駆動源である充電可能な第２の蓄電池９が装備されている。また、掃除機本体６の吸気口６ａと反対側には、掃除機本体６を片手で操作できる操作ハンドル６ｂが設けられている。
【００２０】
ここで、図２（ａ）は、掃除機本体６から床用吸込み具７の接続を外し、掃除機本体６を床用吸込み具７の幅よりも狭い隙間ｃに入れて吸気口６ａで塵埃を吸い込み掃除を行っている状態を示している。また、図２（ｂ）は、掃除機本体６と床用吸込み具７の接続は外されており、掃除機本体６が持ち上げられ棚ｄ上に置かれた物体ｅを避けつつ掃除を行っている状態を示している。
【００２１】
以上のように構成された電気掃除機について、以下その動作、作用を説明する。
【００２２】
まず、電気掃除機を起動すると、第１の蓄電池８と第２の蓄電池９から出力を得て掃除機本体６内部の電動送風機が動作される。これによって、床用吸込み具７から掃除機本体６へ空気が流され、それに伴い床面上の塵埃が回収される。
【００２３】
続いて、隙間や棚上などの掃除を行いたい場合に、使用者は掃除機本体６と床用吸込み具７の接続を外す。掃除機本体６の幅は床用吸込み具７の幅よりも細いため、隙間に入り込んで掃除が可能であり、棚上の掃除では棚の上に置かれたものを避けつつ掃除が可能である。この時、掃除機本体６には蓄電池全体の一部である第１の蓄電池８のみが配置されているため、第１の蓄電池８と第２の蓄電池９の両方を配置した場合に比べて重量が小さくなり使い勝手が良い。
【００２４】
また、掃除機本体６と床用吸込み具７の接続を外すことによって、掃除機本体６は第１の蓄電池８のみを駆動源として動作することになる。集塵性能を低下させないよう消費電力変えずに掃除機本体６を動作させると、第２の蓄電池９が無い分だけ動作可能な時間は短くなるが、隙間や棚上などの掃除を行う時間は床面の掃除も含めた全掃除時間に比べ短いため第１の蓄電池８だけで電力をまかなうことが可能である。
【００２５】
次に、隙間や棚上などの清掃が終わると、使用者は再び掃除機本体６と床用吸込み具７を接続し、床面の清掃作業を行う。
【００２６】
なお、本実施の形態において、掃除機本体６は通常の清掃作業時に第１の蓄電池８と第２の蓄電池９から同時に出力を得て動作する構成としているが、まずどちらか一方のみから出力を得て消費し切ればもう一方の蓄電池を使用する構成としても構わない。
【００２７】
（実施の形態２）
図３は、本発明の実施の形態２における電気掃除機を示すものである。実施の形態１と同一要素については同一符号を付してその説明を省略する。
【００２８】
図に示すように、本実施の形態では、掃除機本体６に着脱可能に接続されている床用吸込み具７は、第１の蓄電池８と第２の蓄電池９によって動作する回転ブラシ１０と、吸引された空気中の塵埃とともに回転ブラシ１０により掻き揚げられた塵埃を回収する補助集塵室１１が設けられている。補助集塵室１１は床用吸込み具７から掃除機本体６へ空気を流す吸気流路１２上に配置されている。また、床用吸い込み具６の掃除機本体６との接続部には力がかからない状態では自然に吸気流路１２を閉じるように動作する切り替え弁１３を有している。図３（ａ）のように、床用吸込み具７が掃除機本体６に接続されている状態では、切り替え弁１３は吸気口６ａに配置された切り替えピン１４により押し込まれ、吸気流路１２を開いている。また、図３（ｂ）のように、掃除機本体６と床用吸込み具７の接続が外され、掃除機本体６が充電装置１６である充電台１６ａと接続されている状態では、切り替え弁１３は切り替えピン１４で押し込まれていないため吸気流路１２を閉じている。
【００２９】
ここで、第１の蓄電池８にはリチウムイオン電池が用いられ、第２の蓄電池９にはニッケル水素電池が用いられており、第１の蓄電池８と第２の蓄電池９は、掃除機本体６に配置された電源管理装置１５ａと床用吸込み具に配置された電源管理装置１５ｂを通じ接続されている。また、第２の蓄電池９の充電容量は第１の蓄電池８の充電容量よりも大きい。
【００３０】
以上のように構成された電気掃除機について、以下その動作、作用を説明する。
【００３１】
まず、電気掃除機を起動すると、掃除機本体６内部の電動送風機が動作され床面から掃除機本体６へと空気が流される。同時に、床用吸込み具７に配置された回転ブラシ１０が動作され床面から塵埃を掻き揚げ、塵埃が空気とともに掃除機本体５へと回収される。
【００３２】
通常の清掃作業時には、電気掃除機は主に第２の蓄電池９によって動作される。第２の蓄電池９は充電容量が大きく、第２の蓄電池９として用いられているニッケル水素電池からは一般に時間当たりに高い出力を得ることが可能であるため、高い集塵性能を得ることができる。また、床用吸込み具７には第２の蓄電池９の充電容量が大きくなるよう多くの電池が積まれているため、重量が大きく床面により強い力で押しつけられている。これによって床用吸込み具７内の真空圧が高まり、同時に回転ブラシ１０が床面により強い力で押し当てられるため、高い集塵性能が得られる。
【００３３】
続いて、隙間や棚上などの掃除を行いたい場合に、使用者は掃除機本体６と床用吸込み具７の接続を外し、掃除機本体６のみを用いて掃除を行う。この際、床用吸込み具７のみを充電装置１６に接続することで、第２の蓄電池９のみを充電することができる。第１の蓄電池８に用いているリチウムイオン電池は一般に重量エネルギー密度が高いため、第１の蓄電池の充電容量を変えることなく掃除機本体６をより軽く構成することが可能であるため、使い勝手をより向上させることができる。
【００３４】
また、座って掃除をしたい場合などにも使用者は掃除機本体６と床用吸込み具７の接続を外し、この場合には床用吸込み具７のみを用いて回転ブラシ１０で掃除を行う。この際、掃除機本体６のみを充電台１２に接続することで第１の蓄電池８のみを充電することができる。床用吸込み具７では、第２の蓄電池９により回転ブラシ１０が動作され床面から塵埃が掻き揚げられる。掻き揚げられた塵埃は切り替え弁１３が吸気流路１２を閉じているため、補助集塵室１１に集められる。
【００３５】
次に、使用者は再び掃除機本体６と床用吸込み具７を接続し、床面の掃除を行う。掃除機本体６と床用吸込み具７が接続されると、掃除機本体６の切り替えピン１４が切り替え弁１３を押し込み吸気流路１２が開くため、補助集塵室１１に集められた塵埃は掃除機本体６へと吸引される。また、第１の蓄電池８と第２の蓄電池９はそれぞれ別々に出力と充電を行っており、ニッケル水素電池は一般に急速充電が可能であるという特性も持つことから、第１の蓄電池８と第２の蓄電池９との電力消費量の関係は、掃除機本体６と床用吸込み具７を接続したまま使用し続けた場合と異なっている。このため、そのまま床面の清掃作業を続けるとどちらか一方の電池が先に消費し切ってしまい、掃除機本体６と床用吸込み具７の接続を外した際に消費し切ってしまった蓄電池を積んでいる方が動作しなくなる可能性がある。この状況を回避するため、掃除機本体６と床用吸込み具７が接続されると同時に電源管理装置１５が第１の蓄電池８と第２の蓄電池９の電力消費量を調べ、一方の蓄電池によってもう一方の蓄電池の充電を行うよう制御を行う。第１の蓄電池８と第２の蓄電池９との電力消費量の関係が、掃除機本体６と床用吸込み具７を接続したまま使用し続けた場合と等しくなると、電源管理装置１１は充電を終了する。
【００３６】
なお、本実施の形態において、第１の蓄電池８はリチウムイオン電池とし第２の蓄電池９はニッケル水素電池としたが、異なる種類の蓄電池を用いる構成としても構わない。
【００３７】
また、本実施の形態において、床用吸込み具７には回転ブラシ１０と補助集塵室１１を配置し床面の塵埃を集塵する構成としたが、床用吸込み具７に電動送風機を搭載し床面から空気を吸引することによって床面の塵埃を集塵する構成としても構わない。
【００３８】
また、本実施の形態において、床用吸込み具７には回転ブラシ１０と補助集塵室１１を配置し床面の塵埃を集塵する構成としたが、これらに代え、床用吸込み具７の床面と接する面に不織布を配置し拭き取るようにして床面の塵埃を集塵する構成としても構わない。
【００３９】
また、本実施の形態において、床用吸込み具７には回転ブラシ１０と補助集塵室１１を配置し床面の塵埃を集塵する構成としたが、これに代え、床用吸込み具７の床面と接する面に粘着質の素材を配置し床面の塵埃をくっつけて集塵する構成としても構わない。
【００４０】
また、本実施の形態において、床用吸込み具７には回転ブラシ１０と補助集塵室１１を配置し床面の塵埃を集塵する構成としたが、これに代え、静電気を発生させる静電気発生装置を配置し、静電気によって床面の塵埃を吸着し集塵する構成としても構わない。
【００４１】
また、本実施の形態において、第１の蓄電池８と第２の蓄電池９との電力消費量の関係を調整するため、一方の蓄電池からもう一方の蓄電池への充電を行ったが、掃除機本体６と床用吸込み具７が接続されている際に動作に用いる電力を、電力消費量の少ない蓄電池からより多く得ることでより早く消費させ電力消費量の関係を調整しても構わない。
【００４２】
（実施の形態３）
図４は、本発明の実施の形態３における電気掃除機を示すものである。実施の形態１と同一要素については同一符号を付してその説明を省略する。
【００４３】
図に示すように、本実施の形態では、掃除機本体６には第１の蓄電池８が、また床用吸込み具７には第２の蓄電池９が装備されているが、第２の蓄電池９の充電容量は第１の蓄電池８の充電容量よりも小さく、外形の大きさも小さいものである。
【００４４】
以上のように構成された電気掃除機について、以下その動作、作用を説明する。
【００４５】
まず、電気掃除機を起動すると、掃除機本体６内部の電動送風機が動作される。これによって、床用吸込み具７から掃除機本体６へ空気が流され、それに伴い床面上の塵埃が回収される。これは実施の形態１と同じである。
【００４６】
続いて机の下など高さの低い空間の掃除を行う場合に、掃除機本体６を傾けつつ、床用吸込み具４をその空間へと進入させる。第２の蓄電池９は大きさが小さいため床用吸込み具７の大きさも小さく構成することが可能で、より高さの低い空間へと床用吸込み具４を入れることが可能となる。
【００４７】
次に、隙間や棚上などの掃除を行いたい場合に、使用者は掃除機本体６と床用吸込み具７の接続を外す。掃除機本体６は蓄電池全体の一部である第１の蓄電池８のみが配置されているため、第１の蓄電池８と第２の蓄電池９を配置した場合に比べ軽量となり使い勝手が良い。
【００４８】
（実施の形態４）
図５は、本発明の実施の形態４における電気掃除機を示すものである。実施の形態１と同一要素については同一符号を付してその説明を省略する。
【００４９】
図に示すように、本実施の形態では、掃除機本体６に着脱可能に接続されている床用吸込み具７は、主床用吸込み具１７と、副床用吸込み具１８ａと、副床用吸込み具１８ｂの３つに分離が可能になっている。主床用吸込み具１７には、第２の蓄電池９が装備され、副床用吸込み具１８ａと副床用吸込み具１８ｂにはそれぞれ第３の蓄電池１９ａと、第４の蓄電池１９ｂが装備されている。副床用吸込み具１８ａは、掃除機本体６と主床用吸込み具１７に着脱可能で、主床用吸込み具１７は、副床用吸込み具１８ａと副床用吸込み具１８ｂと着脱可能である。
【００５０】
主床用吸込み具１７と副床用吸込み具１８ａには、吸気を流す吸気流路１２が配置されているが、副床用吸込み具１８ｂには吸気流路１２がない。また、副床用吸込み具１８ａの主床用吸込み具１７と接続される吸気口２０ａの吸気面積は、主床用吸込み具１７の床面に対向する吸気口２０ｂの吸気面積よりも小さく、掃除機本体６の吸気口６ａよりも大きい。
【００５１】
掃除機本体６と副床用吸込み具１８ｂはそれぞれ電池着脱装置２１を有しており、電池着脱装置２１を介して第１の蓄電池８と第３の蓄電池１９ｂが着脱可能に接続されている。
【００５２】
以上のように構成された電気掃除機について、以下その動作、作用を説明する。
【００５３】
まず、電気掃除機を起動すると、第１〜第４の蓄電池８、９、１９ａ、１９ｂから出力を得て、掃除機本体６内部の電動送風機が動作される。これによって、床面から主床用吸込み具１７と副床用吸込み具１８ａを通じて掃除機本体６へと空気が流され、それに伴い床面上の塵埃が回収される。主床用吸込み具１７は吸気面積の大きい吸気口２０ｂを有しているため、床面の広い範囲からの集塵が可能で通常の床面掃除の際には主床用吸込み具１７を用いて清掃作業を行う。
【００５４】
続いて、第１の蓄電池８か第３の蓄電池１９ｂに充電されている電力を使い切ってしまった場合や、重量や充電容量といった蓄電池の特性を変化させたい場合に、第１の蓄電池８および／または第３の蓄電池１９ｂの交換を行う。第１の蓄電池８と第３の蓄電池１９ｂは電池着脱装置２１によって着脱可能に接続されているため、交換したい蓄電池を取り外し別の蓄電池を取り付ける。
【００５５】
次に、床面の種類が変化した場合や、第２の蓄電池９と第３の蓄電池１９ａを併せて床用吸込み具７に装備された蓄電池全体の重量や充電容量といった特性を変化させたい場合に床用吸込み部７の各部を分離させる。副床用吸込み具１８ｂを主床用吸込み具１７から分離させると、第４の蓄電池１９ｂが無くなる分、動作可能な時間は短くなるが重量が減少して使い勝手が向上する。主床用吸込み具１７を副床用吸込み具１８ａから分離させると、第２の蓄電池９が無くなる分、使用時間は短くなるが重量が減少して使い勝手が向上し、床面からの吸気がより吸気面積の小さい吸気口２０ａで行われるようになるため、空気の流速が増し集塵性能が向上する。副床用吸込み具１８ａを掃除機本体６から分離させると、第３の蓄電池１９ａが無くなる分だけ使用時間は短くなるが重量が減少して使い勝手が向上し、さらに小さな吸気口６ａとなるため空気の流速が増し集塵性能が向上する。
【００５６】
なお、本実施の形態において、掃除機本体６と主床用吸込み具１７と副床用吸込み具１８ａの吸気口は、掃除機本体６の吸気口６ａが一番小さく、主床用吸込み具１７の吸気口２０ｂが一番大きい構成としたが、大きさの順序を変えて構成しても構わない。
【００５７】
また、本実施の形態において、第１の電池７と第４の電池１９ｂを交換可能に構成したが、交換を行わず取り外した状態でも他の蓄電池を用いて動作可能な構成としても構わない。
【００５８】
また、本実施の形態において、分離する床用吸込み具７のすべてに蓄電池を配置したが分離する床用吸込み具７の一部には蓄電池を配置しない構成としても構わない。
【００５９】
上記した各実施の形態１〜４における構成は、必要に応じて適宜組み合わせて使用することができるものであり、実施の形態そのものの構成に限られるものではない。
【産業上の利用可能性】
【００６０】
以上のように、本発明にかかる電気掃除機は、動作可能な時間を短縮させずに、掃除機本体を容易に持ち上げて隙間や棚上を清掃することが可能となり、使い勝手を向上させることができるので、掃除機本体を片手で持って掃除を行う充電式の電気掃除機として最適なものである。
【図面の簡単な説明】
【００６１】
【図１】本発明の実施の形態１における電気掃除機の全体構成を示す側面図
【図２】（ａ）同電気掃除機の隙間掃除時の平面図（ｂ）同電気掃除機の棚上掃除時の側面図
【図３】（ａ）本発明の実施の形態２における電気掃除機の全体構成を示す断面図（ｂ）同電気掃除機の掃除機本体充電時の全体構成を示す断面図
【図４】本発明の実施の形態３における電気掃除機の全体構成を示す側面図
【図５】本発明の実施の形態４における電気掃除機の全体構成を示す断面図
【符号の説明】
【００６２】
６  掃除機本体
７  床用吸込み具
８  第１の蓄電池
９  第２の蓄電池
１５  電源管理装置
１６  充電装置
１７  主床用吸込み具
１８ａ、１８ｂ  副床用吸込み具
２１  電池着脱装置
【図１】
2007075319.tif 000003
【図２】
2007075319.tif 000004
【図３】
2007075319.tif 000005
【図４】
2007075319.tif 000006
【図５】
2007075319.tif 000007